(57)【要約】【課題】通常の使用環境に比べて重力環境の変化が無視できない状況下において、好適に用いることができるディスペンサー容器を提供する。【解決手段】ディスペンサー容器１０は、液状の内容物Ｃを収容する容器本体部１２と、吸引筒部１４と、押下ヘッド部２０とを備える。容器本体部１２は、内容物を収容、保持し、内容物の減量に伴い内容積を縮小可能な内容物保持部２２と、内容物保持部２２を覆う外筒部２４とを有するとともに、圧力調整機構が設けられる。このような圧力調整機構を備えた容器として、デラミネボトルを好適に用いることができる。押下ヘッド部２０は、指による押下操作に連動して吐出口１８を開口するとともに押下操作後に指を離したときに吐出口を閉塞する吐出口開閉機構を有する。【選択図】図１
0003119378.tif 000002
【実用新案登録請求の範囲】
【請求項１】
液状の内容物を収容する容器本体部と、該容器本体部内に一端を挿入される、内容物を吸引する吸引筒部と、該吸引筒部の他の一端に連通し、貯留した定量の内容物を送出するポンプ部と、該ポンプ部に連通するとともに、該ポンプ部から送出される内容物を外部に吐出する吐出口を有し、押し下げることによりポンプ部を動作させる押下ヘッド部とを備えてなるディスペンサー容器において、
該容器本体部が、内容物を収容、保持し、内容物の減量に伴い内容積を縮小可能な内容物保持部と、該内容物保持部を覆う外筒部とを有するとともに、該外筒部を介して外気を進入させて該内容物保持部の外面を外気圧力に保持する圧力調整機構が設けられ、内容物の減量に伴う該内容物保持部内の圧力の低下によって該内容物保持部が収縮して実質的に内容物を充満状態に保持するように構成され、
該押下ヘッド部が、指による押下操作に連動して吐出口を開口するとともに押下操作後に指を離したときに吐出口を閉塞する吐出口開閉機構を有することを特徴とするディスペンサー容器。
【請求項２】
前記容器本体部に含まれる空気を排出する空気抜き機構を有することを特徴とする請求項１記載のディスペンサー容器。
【請求項３】
前記容器本体部がデラミボトル構造を有することを特徴とする請求項１または２記載のディスペンサー容器。
【請求項４】
前記ポンプ部の少なくとも吐出部が、前記押下ヘッド部の動作に連動して機械的に開閉する弁機構を有することを特徴とする請求項１〜３のいずれか１項に記載のディスペンサー容器。
【請求項５】
周辺の物に着脱可能に取り付けることができる着脱機構を備えてなることを特徴とする請求項１〜４のいずれか１項に記載のディスペンサー容器。
【考案の詳細な説明】
【技術分野】
【０００１】
本考案は、液状の化粧品等を収容し、所定量吐出して使用することができるディスペンサー容器に関するものである。
【背景技術】
【０００２】
例えば液状の化粧品を収容し、所定量吐出して使用する目的で、いわゆるディスペンサー容器が例示するまでもなく広く用いられている。
上記ディスペンサー容器は、容器本体部と、吸引筒部と、ポンプ部と、押下ヘッド部とを備える。
容器本体部には、所定回数使用することができる適量の液状の内容物が収容される。内容物は、一端を容器本体部内に挿入される吸引筒部によって吸引され、吸引筒部の他の一端に連通するように設けたポンプ部の貯留空間に導入される。ポンプ部において、内容部物の吸い込みおよび吐出方式としては、通常、フロート式のボール弁が採用されている。貯留空間に溜まった所定量の内容物は、ポンプ部に連通する押下ヘッド部の内部空間に押し出され、内部空間に連通する、通常、水平方向に向けられた吐出口から外部に吐出される。ポンプ部は、押下ヘッド部に連動して動作するように構成されており、押下ヘッド部を手の指で１回押し下げる操作によって、所定量の内容物が吐出口から吐出され、身体の所定の部位に塗布される。
【０００３】
このディスペンサー容器は、押下ヘッド部の押し下げ操作によって生成する圧力のみで内容物の吐出操作を容易に行うことができるように、使用によって容器本体部に収容される内容物の量が減少して容器本体部の内部が負圧（真空）になることを防止するべく、容器本体部に設けた、外部と連通する細孔を介して外気を容器本体部の内部に吸い込み、容器本体部の内部圧力を外部の圧力と常に同一に保持する構造となっている。
【０００４】
ところが、容器本体部の内部に外気が流入すると、内容物が変質するおそれがある。このため、内容物の変質を防止する目的で、いわゆるデラミネボトルが例示するまでもなく広く用いられている。
上記デラミネボトルは、収縮して弾性復元しない内層と、非変形または弾性復元する外層の剥離容易な２層構造に設けられる。そして、内層の内部に収容される内容物が使用によって減量すると、外層に設けられる細孔から内外両層の間に外気が進入することにより、内層のみが収縮する。このため、使用により内容物の量が減少しても、内層の内部に収容される内容物には常に外気圧が加わった状態となり、上記ディスペンサー容器の場合と同様に、押下ヘッド部の押し下げ操作によって生成する圧力のみで内容物の吐出操作を容易に行うことができる。
【０００５】
ところで、前者のディスペンサー容器は、上記した容器の構造上、使用による内容物の減少に伴い、内容物を収容する容器本体部に多量の空気が含まれるようになる。また、後者のデラミネボトルについても、厳密には、製造時の内容物注入工程で不可避的に少量の空気が内容物とともに内層（容器）内に含まれる。そして、ディスペンサー容器およびデラミネボトルのいずれの場合においても、容器内に含まれる空気がなんらかの事情で内容物と混合されると、安定した吐出状態が阻害される等の不具合を生じるおそれがある。
しかしながら、通常、これらの容器は垂直方向に立てた状態で保管され、また、その姿勢のままで使用されるため、重力の作用によって少量の空気と内容物とは常に確実に分離した状態あり、両者が混合するおそれは少ない。
【考案の開示】
【考案が解決しようとする課題】
【０００６】
ところが、例えば、宇宙ステーションや宇宙船の中のような、無重力環境下では、少量の空気が内容物とともにディスペンサー容器等の容器内に含まれる場合であっても、内容物が容器内で浮遊するため、空気と内容物が容易に混合して、上記した吐出操作上の不具合を生じるおそれが大きい。また、ディスペンサー容器のポンプ部には、通常、フロート式のボール弁が用いられているため、無重力環境下では、このボール弁が正常に機能せず、吐出操作に支障を来たすおそれもある。
また、無重力環境下では、ディスペンサー容器等の容器の保管や使用の際の容器の姿勢は定まっておらず、水平方向や天地逆の姿勢となることもある。そして、このことによっても、空気と内容物が容易に混合する問題が生じうるとともに、さらに、容器を保管していることに吐出口から内容物が流出する現象も生じうる。
このように、無重力環境下では、通常とは異なる使用条件になるため、ディスペンサー容器やデラミネボトルを普通に用いるときにはほとんど考える必要のない上記の種々の不具合を生じるおそれがある。また、これらの不具合は、無重力環境下という極端な条件下でなくとも、例えば高速移動機関や振動の多い場所等の家庭内環境とは異なる状況下において、程度の大小は別として、起こりうる。
【０００７】
本考案は、上記の課題に鑑みてなされたものであり、通常の使用環境に比べて重力環境の変化が無視できない状況下において、好適に用いることができるディスペンサー容器を提供することを目的とする。
【課題を解決するための手段】
【０００８】
本考案に係るディスペンサー容器は、
液状の内容物を収容する容器本体部と、該容器本体部内に一端を挿入される、内容物を吸引する吸引筒部と、該吸引筒部の他の一端に連通し、貯留した定量の内容物を送出するポンプ部と、該ポンプ部に連通するとともに、該ポンプ部から送出される内容物を外部に吐出する吐出口を有し、押し下げることによりポンプ部を動作させる押下ヘッド部とを備えてなるディスペンサー容器において、
該容器本体部が、内容物を収容、保持し、内容物の減量に伴い内容積を縮小可能な内容物保持部と、該内容物保持部を覆う外筒部とを有するとともに、該外筒部を介して外気を進入させて該内容物保持部の外面を外気圧力に保持する圧力調整機構が設けられ、内容物の減量に伴う該内容物保持部内の圧力の低下によって該内容物保持部が収縮して実質的に内容物を充満状態に保持するように構成され、
該押下ヘッド部が、指による押下操作に連動して吐出口を開口するとともに押下操作後に指を離したときに吐出口を閉塞する吐出口開閉機構を有することを特徴とする。
【０００９】
また、本考案に係るディスペンサー容器は、前記容器本体部に含まれる空気を排出する空気抜き機構を有することを特徴とする。
【００１０】
また、本考案に係るディスペンサー容器は、前記容器本体部がデラミボトル構造を有することを特徴とする。
【００１１】
また、本考案に係るディスペンサー容器は、前記ポンプ部の少なくとも吐出部が、前記押下ヘッド部の動作に連動して機械的に開閉する弁機構を有することを特徴とする。
【００１２】
また、本考案に係るディスペンサー容器は、周辺の物に着脱可能に取り付けることができる着脱機構を備えてなることを特徴とする。
【考案の効果】
【００１３】
本考案に係るディスペンサー容器は、内容物の減量に伴う内容物保持部内の圧力の低下によって内容物保持部が収縮して実質的に内容物を充満状態に保持するように構成されるため、使用によって内容物の量が減少しても外気を混入することがなく、このため、内容物が内容物保持部の内部で浮遊等して流動しても、外気をかみ込んだ状態で吐出することがない。また、押下ヘッド部が、吐出口開閉機構を有するため、押下ヘッド部に残存する内容物が浮遊等して流動しても吐出口から漏れることがない。これにより、通常の使用環境に比べて重力の変化が無視できない環境下において、好適にディスペンサー容器を用いることができる。
また、本考案に係るディスペンサー容器は、容器本体部に含まれる空気を排出する空気抜き機構を有するため、なんらかの事情で容器本体部に空気を含む状態が生じたとしても、例えば容器本体部を軽く振る等して空気と内容物を分離した後、空気抜き機構によって空気を排出することで、使用時に外気をかみ込んだ状態で吐出することを避けることができる。
また、本考案に係るディスペンサー容器は、ポンプ部の少なくとも吐出部が、押下ヘッド部の動作に連動して機械的に開閉する弁機構を有するため、フロートタイプのボール弁を用いる場合に生じうる、ボールの浮遊による弁機構の誤作動およびそれに伴う不具合を防止することができる。
【考案を実施するための最良の形態】
【００１４】
本考案の実施の形態について、以下に説明する。
【００１５】
本考案に係るディスペンサー容器は、基本的な構成は、従来のディスペンサー容器と同様である。すなわち、図１に概略構成を示すように、本考案に係るディスペンサー容器１０は、液状の内容物（図１中、矢印Ｃで示す。）を収容する容器本体部１２と、容器本体部１２の内部に一端を挿入される、内容物を吸引する吸引筒部１４と、吸引筒部１４の他の一端に連通し、貯留した定量の内容物を送出するポンプ部１６と、ポンプ部１６に連通するとともに、ポンプ部１６から送出される内容物を外部に吐出する吐出口１８を有し、押し下げることによりポンプ部１６を動作させる押下ヘッド部２０とを備える。
これら容器本体部１２、吸引筒部１４、ポンプ部１６および押下ヘッド部２０は、以下の本考案の特有の物として説明するものでない限り、通常用いられる構造、材料を適宜採用することができる。
【００１６】
本考案において、容器本体部１２は、内容物を収容、保持し、内容物の減量に伴い内容積を縮小可能な内容物保持部２２と、内容物保持部２２を覆う外筒部２４とを有する。ここで、外筒部２４は、内容物保持部２２を内筒とするときの外筒の意であり、言い換えれば内層に対する外層であり、形状は、筒状に限定するものではない。
容器本体部１２には、さらに、外筒部２４を介して外気を進入させて内容物保持部１２の外面を外気圧力に保持する圧力調整機構が設けられる（図１では図示せず。）。
このような圧力調整機構を備えた容器本体部として、図２に示すような、デラミネボトル１２ａを好適に用いることができる。デラミネボトル１２ａは、先に説明したように、収縮して弾性復元しない内層（内容物保持部）２２ａと、非変形または弾性復元する外層（外筒部）２４ａの剥離容易な２層構造に設けられる。そして、内層２２ａの内部に収容される内容物が使用によって減量すると、外層２４ａに設けられる細孔２５から内外両層２２ａ、２４ａの間に外気が進入することにより、内層２２ａのみが収縮する。このため、内容物Ｃを使用して内層２２ａ内の内容物Ｃが減量したとしても、内層２２ａ内に空気が進入することがない。言い換えれば、デラミネボトル１２ａは、内容物Ｃの減量に伴う内層２２ａ内の圧力の低下によって内層２２ａが収縮して、実質的に内容物Ｃを充満状態に保持するように構成される。
上記デラミネボトル１２ａを無重力条件下で用いる場合、内容物Ｃが浮遊することにより収縮時の内層２２ａの形状が変化しやすい。このため、内層２２ａが吸引筒部１４ａの吸引孔（開口）１５を閉塞して吐出操作に支障を起こすことが考えられる。これを軽減するには、例えば側面に複数の補助吸引孔１５ａを設け、さらには、補助吸引孔１５ａを内層２２ａが閉塞することを防止して開口を確保するための突起等の邪魔部材１７を補助吸引孔１５ａの周辺に設けておくことが、より好ましい。
【００１７】
また、このような圧力調整機構を備えた容器本体部として、図３に示すような、高粘度内容物用のディスペンサー容器として汎用される、容器本体（外筒部）２４ｂの内部に、容器本体２４ｂの内壁に摺接して可動可能な底皿２２ｂが、容器本体２４ｂの下部開口２７から露出した状態に備えられた容器１２ｂを採用してもよい。容器１２ｂは、使用により吸引筒部１４ｂから内容物Ｃが吸引されて、収容される内容物Ｃの量が減って内圧低下を生じた際に、その底皿２２ｂが外気の圧力によって上昇し、実質的に内容物Ｃを充満状態に保持するように構成される。
【００１８】
また、本考案において、押下ヘッド部２０は、指による押下操作に連動して吐出口１８を開口するとともに押下操作後に指を離したときに吐出口を閉塞する吐出口開閉機構を有する。
このような吐出口開閉機構としては、特に限定するものではなく、例えば、ノズルの吐出部を弾性部材で形成し、吐出時の圧力で開口し、吐出操作の終了に伴い閉塞する構成としてもよいが、吐出操作が終わると機械的な作用で吐出口を開閉することができる構造の物がより好ましい。このような機械的に動作する吐出口開閉機構である限り、適宜の構造の物を採用することができ、例えば、図４に部分図を示す押下ヘッド部２０ａを用いることができる。
図４に示す押下ヘッド部２０ａは、カバー部２６と、吐出口２８ａを有するノズル部２８を備える。図示しない下部には、筒状のヘッド部を備え、ポンプ部（図示せず。）から送出される内容物Ｃは通路３０を通ってノズル部２８に送られる。押下ヘッド部２０ａには、さらに、弁部材３２と、弁部材３２を図２中左右方向に動作させる動作部材３４が設けられる。弁部材３２は先端部３２ａが円錐状あるいはテーパ状に形成されるとともに、後端部３２ｂも円錐状あるいはテーパ状に形成される。先端部３２ａのテーパ形状に合わせて、吐出口２８ａもテーパ状に形成され、また、後端部３２ｂのテーパ形状に合わせて動作部材３４の下部もテーパ状に形成される。ノズル部２８には、弁部材３２を後端部３２ｂ（図４中、右方向）に付勢するスプリング３６が設けられる。
図４は、押下ヘッド部２０ａを指で押し下げて内容物を吐出するときの状態を示す図であり、押下ヘッド部２０ａと一体となって降下する動作部材３４の作用によって、スプリング３６の力に抗して弁部材３２を図４中左方向に付勢する。そして、先端部３２ａと吐出口２８ａの間に形成される隙間から内容物が外部に吐出される。ついで、押下ヘッド部２０ａに添えた指を離すと、図示しない別のスプリングに付勢されて、押下ヘッド部２０ａとともに動作部材３４が上昇する。これにより、動作部材３４と後端部３２ｂの係合が解除されると、スプリング３６に付勢されて弁部材３２が図４中右方向に移動し、弁部材３２の先端部３２ａがノズル部２８の吐出口２８ａを閉塞する。
【００１９】
以上説明した本考案に係るディスペンサー容器１０によれば、内容物の減量に伴う内容物保持部１２の内部の圧力の低下によって内容物保持部１２が収縮して実質的に内容物を充満状態に保持するため、使用によって内容物の量が減少しても外気を混入することがない。このため、例えば、宇宙ステーション等の無重力環境下で使用する際に、内容物が内容物保持部１２の内部で浮遊等して流動しても、外気をかみ込んだ状態で吐出することがなく、安定した吐出操作を行うことができる。また、押下ヘッド部２０が、吐出口開閉機構を有するため、無重力環境下で押下ヘッド部２０に残存する内容物が浮遊等して流動しても吐出口から漏れることがない。これにより、通常の使用環境に比べて重力の変化が無視できない環境下において、好適にディスペンサー容器を用いることができる。
【００２０】
また、本考案に係るディスペンサー容器は、好ましくは、容器本体部に含まれる空気を排出する空気抜き機構を有する。このような空気抜き機構としては、適宜の構造の物を採用することができ、例えば、容器本体部の内部とディスペンサー容器の外部とを連通するパイプあるいは細孔を設け、閉塞および開口可能な栓等の閉塞部材を取り付けた構成することができる。
これにより、なんらかの事情で容器本体部に空気を含む状態が生じたとしても、例えば容器本体部を軽く振る等して空気と内容物を分離した後、空気抜き機構によって空気を排出することで、使用時に外気をかみ込んだ状態で吐出する不具合を避けることができる。
【００２１】
また、本考案に係るディスペンサー容器は、好ましくは、ポンプ部の少なくとも吐出部が、押下ヘッド部の動作に連動して機械的に開閉する弁機構を有する。このような弁機構としては、通常のディスペンサー容器に用いられるフロート式のボール弁でない限り、適宜の物を用いることができる。
これにより、フロート式のボール弁を用いる場合に生じうる、ボールの浮遊による弁機構の誤作動を防止することができ、内容物の漏れや、ポンプ部内や押下ヘッド部に内容物が残存することによる、内容物の固着等の不具合を避けることができる。
【００２２】
また、本考案に係るディスペンサー容器は、好ましくは、周辺の物に着脱可能に取り付けることができる着脱機構を備える。このような着脱機構は、磁性材料で形成される周辺の機器等にディスペンサー容器を取り付けることができる磁石であってもよく、あるいはまた、非磁性材料で形成される周辺の機器等に取り付けることができる面ファスナー等であってもよく、さらにまた、周辺の機器等に設けられる穴部等に係合するフック等の適宜の係止部材であってもよい。
これにより、無重力空間でディスペンサー容器が勝手に浮遊する不具合を避けることができ、また、ディスペンサー容器を安定した姿勢で保管することができる。
【図面の簡単な説明】
【００２３】
【図１】本考案に係るディスペンサー容器の基本的な構成を示す図である。
【図２】本考案に係るディスペンサー容器の圧力調整機構を備えた容器本体部の一例を説明するための図である。
【図３】本考案に係るディスペンサー容器の圧力調整機構を備えた容器本体部の図２とは別の一例を説明するための図である。
【図４】本考案に係るディスペンサー容器の押下ヘッド部の部分図である。
【符号の説明】
【００２４】
１０  ディスペンサー容器
１２、１２ａ、１２ｂ  容器本体部
１４、１４ａ、１４ｂ  吸引筒部  
１６  ポンプ部
１８、２８  吐出口
２０、２０ａ  押下ヘッド部
２２、２２ａ、２２ｂ  内容物保持部
２４、２４ａ、２４ｂ  外筒部
２６  カバー部
２８  ノズル部
３２  弁部材
３２ａ  先端部
３２ｂ  後端部
３４  動作部材
３６  スプリング
【図１】
0003119378.tif 000003
【図２】
0003119378.tif 000004
【図３】
0003119378.tif 000005
【図４】
0003119378.tif 000006